(57)【要約】【課題】簡易な構成で、ロータリアタッチメントの姿勢を容易に調整できるロータリ耕耘作業機を提供する。【解決手段】ロータリ耕耘爪軸１２に耕耘爪１５を取付けて耕耘部１４を構成し、前記耕耘部１４の上方を覆うロータリカバー１６と、前記耕耘部１４の後方を覆うとともに前記ロータリカバー１６の後部にヒンジで連結されて上下方向に揺動可能に設けられたリヤカバーと、前記耕耘部１４の上方を覆うとともに前記ロータリ耕耘爪軸１２を中心に回動可能なロータリ回動カバー２８と、ロータリアタッチメント２４と、前記ロータリアタッチメント２４を取り付ける取付部２０と、を有するロータリ耕耘作業機１において、前記取付部２０は、前記ロータリ回動カバー２８に設けられていることを特徴とする【選択図】図１
2006050955.tif 000002
【特許請求の範囲】
【請求項１】
ロータリ耕耘爪軸に耕耘爪を取付けて耕耘部を構成し、前記耕耘部の上方を覆うロータリカバーと、前記耕耘部の後方を覆うとともに前記ロータリカバーの後部にヒンジで連結されて上下方向に揺動可能に設けられたリヤカバーと、前記耕耘部の上方を覆うとともに前記ロータリ耕耘爪軸を中心に回動可能なロータリ回動カバーと、ロータリアタッチメントと、前記ロータリアタッチメントを取り付ける取付部と、を有するロータリ耕耘作業機において、前記取付部は、前記ロータリ回動カバーに設けられていることを特徴とするロータリ耕耘作業機。
【請求項２】
前記ロータリアタッチメントは、培土機であることを特徴とする請求項１記載のロータリ耕耘作業機。
【発明の詳細な説明】
【技術分野】
【０００１】
本発明は、ロータリ耕耘作業機に係り、特に、培土機等のロータリアタッチメントの取付構造に関する。
【背景技術】
【０００２】
サイドドライブ式のロータリ耕耘作業機において、チェーンケースに内装されたチェーン伝動機構に連結されて回転するロータリ耕耘爪軸に耕耘爪を取付けて耕耘部を構成し、この耕耘部の上方を覆うメインカバーの両側部にサイドカバーを固設し、耕耘部の後方を覆うとともにメインカバーに対してヒンジを介して上下方向に揺動可能に支持したリヤカバーには、その両側部にリヤサイドカバーを固設し、進行方向前方から見てリヤサイドカバーは、サイドカバーの外側方になるように配置して、耕耘部の左右後側方からの土飛散の防止等を図るようにしたものがある。
【０００３】
従来、上記したトラクター作業機において、サイドスキ、サイドディスクや培土機等のロータリアタッチメントを装着する場合、ロータリカバーにデプスビームを取り付け、このデプスビームにロータリアタッチメントを装着していた。又は、ロータリサイドサポートに装着ブラケットを介してロータリアタッチメントを装着していた。
【発明の開示】
【発明が解決しようとする課題】
【０００４】
しかし、上記従来技術では、トラクターとロータリ耕耘機の機種毎に、作業姿勢が異なるため、各機種毎にロータリアタッチメント装着ブラケットを準備せざるをえず、部品点数が多くなるという問題点があった。
【０００５】
そこで、本発明は、上記問題点を解決するためになされたもので、簡易な構成で、部品点数の少ない即ちロータリアタッチメントを共用化することのできるロータリ耕耘作業機を提供することを目的とする。
【課題を解決するための手段】
【０００６】
上記目的を達成するために、請求項１に係る発明は、ロータリ耕耘爪軸に耕耘爪を取付けて耕耘部を構成し、前記耕耘部の上方を覆うロータリカバーと、前記耕耘部の後方を覆うとともに前記ロータリカバーの後部にヒンジで連結されて上下方向に揺動可能に設けられたリヤカバーと、前記耕耘部の上方を覆うとともに前記ロータリ耕耘爪軸を中心に回動可能なロータリ回動カバーと、ロータリアタッチメントと、前記ロータリアタッチメントを取り付ける取付部と、を有するロータリ耕耘作業機において、前記取付部は、前記ロータリ回動カバーに設けられていることを特徴とするロータリ耕耘作業機を提供する。
【０００７】
上記構成によれば、ロータリアタッチメントを取り付ける取付部がロータリ回動カバーに設けられているので、ロータリ回動カバーの動きに合わせてロータリアタッチメントを追従させることができる。
【０００８】
請求項２に係る発明は、前記ロータリアタッチメントは、培土機であることを特徴とする請求項１記載のロータリ耕耘作業機を提供する。
【０００９】
上記構成によれば、ロータリアタッチメントである培土機の動きをロータリ回動カバーの動きに追従させつつ培土作業を行わせることが可能となる。
【発明の効果】
【００１０】
請求項１に係る発明により、簡易な構成で、部品点数の少ない即ちロータリアタッチメントを共用化することのできるロータリ耕耘作業機を提供することができる。
請求項２に係る発明により、簡易な構成で、部品点数の少ない即ちロータリアタッチメントである培土機を共用化することのできるロータリ耕耘作業機を提供することができる。
【発明を実施するための最良の形態】
【００１１】
本発明に係るロータリ耕耘作業機の実施例を図１乃至図３を参照しつつ説明する。図１は、本発明に係るロータリ耕耘作業機を示す側面図である。図２は、本発明に係るロータリ耕耘作業機におけるロータリアタッチメント及びその取付構造を示す一部拡大側面図である。図３は、本発明に係るロータリ耕耘作業機におけるロータリアタッチメント及びその取付構造を示す一部拡大平面図である。
【００１２】
ロータリ耕耘作業機１は、トラクタ２の後方に、トップリンク３が１本、ロワリンク４が２本を持つ３点リンク機構等の連結機構を介して昇降及び左右傾動自在に装着される。中央上部に配置されたべベルギヤボックス５の上方にマスト６が設けられ、べベルギヤボックス５から左右両側方（図の紙面に垂直方向）に延出されたメインビーム７の各中途部には支持プレート８が固設されて、マスト６の前端にトップリンク３の後端が枢支され、各支持プレート８の前端にロワリンク４の後端が各々枢支されている。
【００１３】
トップリンク３、各ロワリンク４は油圧装置に連携しており、ロータリ耕耘作業機１は、油圧装置によって昇降作動されるようになっている。支持プレート８の後端にはデプスフレーム９が枢支されている。また、トラクタ２のＰＴＯ軸（動力取出し軸）がユニバーサルジョイント付ドライブ軸を介してべベルギヤボックス５に突設された入力軸１０に連結され、ＰＴＯ軸からの動力が入力軸１０に伝達されるようになっている。
【００１４】
べベルギヤボックス５内には、べベルギヤ群が設けられ、べベルギヤボックス５から一側方に延出したメインビーム７の端部にチェーンケース１１が取付けられ、他側方に延出したメインビーム７の端部にはサイドフレームが取付けられている。また、チェーンケース１１の下部とサイドフレームの下部との間に、各々軸受を介してロータリ耕耘爪軸１２が回動自在に軸架されている。
【００１５】
チェーンケース１１には、入力スプロケット、チェーン及び出力スプロケット等からなるチェーン伝導機構が内装され、その入力スプロケットはべベルギヤ群のギヤ出力を伝動する伝動軸に固定され、出力スプロケットはロータリ耕耘爪軸１２に連携する出力スプロケット軸に固定されている。
【００１６】
このようにして、ロータリ耕耘爪軸１２は、トラクタ２のＰＴＯ軸からの動力により、入力軸１０、べベルギヤ群、伝動軸１３及びチェーン伝動機構等を介して回転駆動されるようになっている。このロータリ耕耘爪軸１２には、複数の耕耘爪１５が放射状に取付けられて耕耘部１４が構成されている。そして、耕耘爪１５がＡ―Ａ矢印方向に回動することになる。
【００１７】
耕耘部の直上方には、この耕耘部１４の上方を覆うロータリカバー１６が設けられている。ロータリカバー１６は、両側板部の部分でチェーンケース１１の内側及びサイドフレームに、各々ボルト締結等により固定されている。ロータリカバー１６の前方には、耕耘部の前方を覆うフロントカバー１７が、メインビーム７から延出されたステー２２にボルト締結により取付けられている。
【００１８】
また、ロータリカバー１６の後部上面にはボルト締結によりブラケット２３が斜め後方上方に向けて取付けられ、このブラケット２３の上端部即ち当該ブラケット２３及びロータリカバー１６等を介して作業機本体側に設けられた摺動部１８とリヤカバーの後方寄りの上面側との間に、ハンガーロッド１９が、リヤカバーを釣支するように設けられている。ハンガーロッド１９の一端はリヤカバーの後方寄りの上面側に枢支され、他端側は摺動自在に支持されており、リヤカバーと連動してハンガーロッド１９が摺動する。
【００１９】
また、耕耘部１４の上方に、ロータリ回動カバー２８がロータリ耕耘爪軸１２を中心に回動可能に設けられている。このロータリ回動カバー２８の側面後方側にロータリアタッチメントの取付部である取付プレート２０が設けられている。この取付プレート２０の外側上面にロータリアタッチメントである培土機２４の取付軸２５が装着板２１によって取り付けられている。
【００２０】
次に、上記構成を有する本発明に係るロータリ耕耘作業機１の作用を説明する。
ロータリ耕耘爪軸１２が、トラクタ２のＰＴＯ軸（動力取出し軸）からの動力により、入力軸１０、べベルギヤ群、伝動軸1３及びチェーン伝動機構等を介して回転駆動される。このロータリ耕耘爪軸１２に取付けられた複数の耕耘爪１５が回転し耕耘作業が行われていく。これらの耕耘爪１５の回転により、耕耘された土はロータリアタッチメントである培土機２４により、培土作業が行われていく。
【００２１】
上述した如く、本発明に係るロータリ耕耘作業機１は、ロータリアタッチメントである培土機２４がロータリ耕耘爪軸１２を中心に回動可能に設けられたロータリ回動カバー２８に取付プレート２０を介して取り付けられているので、ロータリアタッチメントである培土機２４がロータリ耕耘爪軸１２中心に動くことができる。従って、作業姿勢を容易に変更することができる。
【００２２】
また、ロータリアタッチメントである培土機２４の作業姿勢の調整もこの回動カバーの調整ハンドル２６で容易に可能となる。
【００２３】
このように、本発明に係るロータリ耕耘作業機１は、ロータリアタッチメントである培土機２４がロータリ耕耘爪軸１２を中心に回動可能であるロータリ回動カバー２０に取付プレート２０を介して取り付けられ、調整ハンドル２６を有しているので、作業姿勢が容易に変更可能である。さらに、ロータリアタッチメントである培土機２４上に設けられている調整ハンドル２７によって、培土機２４の傾きを詳細に設定することができる。
従って、トラクタ２とロータリ耕耘作業機１の機種毎に、作業姿勢が異なっても、共通のロータリアタッチメントである培土機２４で対応することができるので、部品点数が少なくなる。
上記実施例においては、ロータリアタッチメント２４として、培土機を使用したが、サイドスキやサイドディスクを使用することの可能である。
【図面の簡単な説明】
【００２４】
【図１】本発明に係るロータリ耕耘作業機を示す側面図。
【図２】本発明に係るロータリ耕耘作業機におけるロータリアタッチメント及びその取付構造を示す一部拡大側面図。
【図３】本発明に係るロータリ耕耘作業機におけるロータリアタッチメント及びその取付構造を示す一部拡大平面図。
【符号の説明】
【００２５】
１  ロータリ耕耘作業機
２  トラクタ
３  トップリンク
４  ロワリンク
５  べベルギヤボックス
６  マスト
７  メインビーム
８  支持プレート
９  デプスフレーム
１０  入力軸
１１  チェーンケース
１２  ロータリ耕耘爪軸
１３  伝動軸
１４  耕耘部
１５  耕耘爪
１６  ロータリカバー
１７  フロントカバー
１８  摺動部
１９  ハンガーロッド
２０  取付部（取付プレート）
２１  装着板
２２  ステー
２３  ブラケット
２４  ロータリアタッチメント（培土機）
２５  取付軸
２６  調整ハンドル
２７  調整ハンドル
２８  ロータリ回動カバー
【図１】
2006050955.tif 000003
【図２】
2006050955.tif 000004
【図３】
2006050955.tif 000005